(57)【要約】【課題】記憶媒体およびこれを用いた不正媒体読み取り防止装置に関し、不正な記憶媒体の不正使用が行われないようにすることを目的とする。【解決手段】記憶媒体７は、媒体本体７ａの表面にＲＦＩＤタグ８を備え、ＲＦＩＤタグ８は基材１４上に形成された印刷面の破断部１３に印刷で回路部が形成されている。このような構成により、記憶媒体７からＲＦＩＤタグ８を剥がすなど不正な改ざん行為により別の記憶媒体７に不正使用しようとすると回路部１５が破断し、破断した後、ＲＦＩＤタグ８は再使用できなくなる。これにより、不正な記憶媒体７の不正使用を防止する。【選択図】図６
2010182217.tif 000002
【特許請求の範囲】
【請求項１】
媒体本体の表面にＲＦＩＤタグを備え、前記ＲＦＩＤタグは基材上に形成された印刷面の破断部に印刷で回路部が形成されていることを特徴とする記憶媒体。
【請求項２】
前記回路部は、タグ情報を記憶保持するタグ回路部と、このタグ回路部に電気的に接続されると共に無線信号を受信するタグアンテナ部とを有し、
前記破断部は、少なくとも前記タグ回路部を破断するように形成されていることを特徴とする請求項１に記載の記憶媒体。
【請求項３】
前記破断部は、前記印刷面に設けられた多数の窪みに剥離層を形成した剥離部と、粘着剤を塗布した接着面で前記回路部を接着する外装部とを備え、
前記外装部により前記剥離部の上面に印刷された前記回路部を剥離すると共に破断することを特徴とする請求項１または請求項２に記載の記憶媒体。
【請求項４】
記憶媒体のデータを記憶媒体読み取り部を介して入力する電子機器に備えられる不正媒体読み取り防止装置であって、
請求項１から請求項３のいずれか１項に記載の記憶媒体に設けられたＲＦＩＤタグを読み取るＲＦＩＤリーダ部と、
前記ＲＦＩＤリーダ部により読み取られた前記ＲＦＩＤタグのタグ情報と認証情報とを照合し、照合が不一致の場合は前記記憶媒体が不正な媒体であると判断する不正判断部と、
前記不正判断部の判断結果に基づいて前記記憶媒体読み取り部を制御する制御部とを備え、
前記制御部は、前記不正判断部により前記記憶媒体が不正な媒体であると判断された場合、前記記憶媒体読み取り部による前記記憶媒体の読み取りを停止させる構成としたことを特徴とする不正媒体読み取り防止装置。
【発明の詳細な説明】
【技術分野】
【０００１】
本発明は、記憶媒体およびこれを用いた不正媒体読み取り防止装置に関する。
【背景技術】
【０００２】
近年、記憶媒体の大容量化に伴い、記憶媒体にゲームなどのソフトウェアのデータを記憶し、電子機器は記憶媒体を装着して各種のソフトウェアを取り込み、プログラムを実行していた。
【０００３】
この場合、ソフトウェアが不正に記憶媒体に複製される場合もあった。このような中で、不正な記憶媒体の読み取りを防止する不正媒体読み取り防止装置を電子機器に装着する提案がなされている。
【０００４】
従来の不正媒体読み取り防止装置では、記憶媒体に装着されているＲＦＩＤ（Ｒａｄｉｏ  Ｆｒｅｑｕｅｎｃｙ  ＩＤｅｎｔｉｆｉｃａｔｉｏｎ）タグを読み取り、認証情報と照合して記憶媒体が不正なものであるか否かを判断していた。照合結果から記憶媒体が不正なものと判断された場合、電子機器による記憶媒体からのソフトウェアの読み取りを停止させていた（例えば、特許文献１を参照）。
【特許文献１】実用新案登録第３０９４８２５号公報
【発明の開示】
【発明が解決しようとする課題】
【０００５】
従来の不正媒体読み取り防止装置では、記憶媒体に貼付されているＲＦＩＤタグのタグ情報に基づいて不正なものか否かを判断していたので、正規な記憶媒体に貼付されているＲＦＩＤタグを切り取って別の不正な記憶媒体に貼付けされた場合、ＲＦＩＤタグは正規のものであるので不正な記憶媒体も正規なものと判断されていた。このように、正規な記憶媒体に貼付されているＲＦＩＤタグを切り取るなど不正な改ざんが行われた場合、不正な記憶媒体の不正使用が行われてしまうといった課題があった。
【０００６】
そこで本発明は、不正な記憶媒体の不正使用が行われないようにすることを目的とする。
【課題を解決するための手段】
【０００７】
この目的を達成するために本発明の記憶媒体は、媒体本体の表面にＲＦＩＤタグを備え、ＲＦＩＤタグは基材上に形成された印刷面の破断部に印刷で回路部が形成されていることを特徴とする。このような構成により、初期の目的を達成するものである。
【０００８】
また、本発明の不正媒体読み取り防止装置は、記憶媒体のデータを記憶媒体読み取り部を介して入力する電子機器に備えられるものであって、上記した記憶媒体に設けられたＲＦＩＤタグを読み取るＲＦＩＤリーダ部と、ＲＦＩＤリーダ部により読み取られたＲＦＩＤタグのタグ情報と認証情報とを照合し、照合が不一致の場合は記憶媒体が不正な媒体であると判断する不正判断部と、不正判断部の判断結果に基づいて媒体読み取り部を制御する制御部とを備え、制御部は、不正判断部により記憶媒体が不正な媒体であると判断された場合、記憶媒体読み取り部による記憶媒体の読み取りを停止させる構成としたことを特徴とする。このような構成により、初期の目的を達成するものである。
【発明の効果】
【０００９】
以上のように本発明の記憶媒体は、媒体本体の表面にＲＦＩＤタグを備え、ＲＦＩＤタグは基材上に形成された印刷面の破断部に印刷で回路部が形成されているので、媒体本体からＲＦＩＤタグを取り外すなどの不正な改ざん行為によりＲＦＩＤタグの回路部が破断し、再使用できなくなる。これにより、不正な記憶媒体の不正使用を防止することができる。
【００１０】
また、本発明の不正媒体読み取り防止装置は、記憶媒体のデータを記憶媒体読み取り部を介して入力する電子機器に備えられるものであって、上記した記憶媒体に設けられたＲＦＩＤタグを読み取るＲＦＩＤリーダ部と、ＲＦＩＤリーダ部により読み取られたＲＦＩＤタグのタグ情報と認証情報とを照合し、照合が不一致の場合は記憶媒体が不正な媒体であると判断する不正判断部と、不正判断部の判断結果に基づいて媒体読み取り部を制御する制御部とを備え、制御部は、不正判断部により記憶媒体が不正な媒体であると判断された場合、記憶媒体読み取り部による記憶媒体の読み取りを停止させる構成としたので、媒体本体からＲＦＩＤタグを取り外すなどの不正な改ざん行為によりＲＦＩＤタグの回路部が破断し、ＲＦＩＤタグからタグ情報を読み取れなくなる。これにより、不正判断部でタグ情報と認証情報とが不一致となるため、不正判断部は記憶媒体が不正な媒体であると判断することができる。不正判断部により記憶媒体が不正な媒体であると判断された場合、制御部は記憶媒体読み取り部によるソフトウェアなどのデータの読み取りを停止させる。これにより、電子機器による記憶媒体のデータの読み取りができなくなるので、不正な記憶媒体の不正使用を防止することができる。
【発明を実施するための最良の形態】
【００１１】
以下、本発明の実施の形態について図面を用いて詳細に説明する。
【００１２】
（実施の形態）
まず、図１を参照しながら、本発明の実施の形態における電子機器について説明する。
【００１３】
図１は本発明の実施の形態における電子機器１の外観斜視図である。ここでは、記録媒体からゲームなどのソフトウェアを読み取り、読み取られたソフトウェアを実行する電子機器の例について説明する。
【００１４】
図１に示すように、ゲーム機、携帯端末などの電子機器１は、電子機器本体２にボタンなどの操作入力部３と、液晶表示装置から構成される表示部４と、スピーカから構成される音声出力部５と、記憶媒体を読み取る記憶媒体読み取り部６とを備えている。
【００１５】
利用者は、電子機器１の記憶媒体読み取り部６に記憶媒体７を装着し、電子機器１に記憶媒体７から記憶媒体読み取り部６を介してソフトウェアを読み取らせる。これにより、利用者は電子機器１により記憶媒体７から読み取られたソフトウェアを実行することができる。
【００１６】
利用者は、操作入力部３のボタンなどを操作し、表示部４の表示画面を見ながら、ゲームなどを楽しむことができる。また、音声出力部５から効果音やメッセージを聴くことができる。
【００１７】
また利用者は、記憶媒体読み取り部６に装着している記憶媒体７を別の記憶媒体７に取り替えて、電子機器１で別のソフトウェアを実行することができる。
【００１８】
ところで、記憶媒体７のソフトウェアが不正に複製され、この不正に複製された記憶媒体７のソフトウェアが利用される場合もあった。ソフトウェアを不正に複製した記憶媒体７が利用者に渡り使用されると、利用者は正規なソフトウェアを買わなくなり、ソフトウェアの開発元では大きな損害を被る。
【００１９】
そこで、不正媒体読み取り防止装置９を電子機器１に設け、不正に複製された記憶媒体７のソフトウェアを電子機器１で利用できないようにし、これにより記憶媒体７に不正にソフトウェアを複製して使用されるのを防止する。
【００２０】
すなわち、不正な改ざん行為が行われた場合に回路部が破断されるＲＦＩＤタグ８を記憶媒体７の媒体本体に貼付し、これによりＲＦＩＤタグ８の再使用ができないようにする。この再使用をできなくした記憶媒体７の詳細については後述する。
【００２１】
そして、不正媒体読み取り防止装置９は、記憶媒体読み取り部６に装着されている記憶媒体７のＲＦＩＤタグ８のタグ情報を記憶媒体読み取り部６の側面に設けたアンテナ１０ａを介してＲＦＩＤリーダ部１０で読み取り、正規な媒体であることを示す認証情報と照合することで記憶媒体７が不正な媒体であるか否かを判断する。そして、不正媒体読み取り防止装置９は記憶媒体７が不正な媒体であると判断した場合、記憶媒体読み取り部６による記憶媒体７の読み取りを停止させる。
【００２２】
これにより、記憶媒体７からＲＦＩＤタグ８を取り外すなどの不正な改ざん行為が行われた場合、ＲＦＩＤタグ８のタグ情報を読み取れなくなり認証情報と照合しても不一致となるので、記憶媒体７が不正な媒体であることを判断できる。不正媒体読み取り防止装置９は、記憶媒体７が不正な媒体であると判断した場合、記憶媒体読み取り部６によるソフトウェアの読み取りを停止させる。これにより、電子機器１は記憶媒体７のソフトウェアの読み取りができなくなるので、不正な記憶媒体７の不正使用を防止することができる。不正媒体読み取り防止装置９の動作の詳細については後述する。
【００２３】
次に、図２〜図７を参照しながら、本発明の実施の形態におけるＲＦＩＤタグ８を含む記憶媒体７について説明する。
【００２４】
図２は本発明の実施の形態における電子機器１に装着される記憶媒体７の外観斜視図、図３は同実施の形態におけるＲＦＩＤタグ８を含む記憶媒体７の上面図、図４は同実施の形態におけるＲＦＩＤタグ８の断面図、図５は同実施の形態におけるＲＦＩＤタグ８内の回路部１５の構成を示す上面図、図６は図３のＡ−Ａ線断面図、図７は本発明の実施の形態におけるＲＦＩＤタグ８の破断を説明する図であり、図７（ａ）はＲＦＩＤタグ８の回路部１５の破断後の状態を示す上面図、図７（ｂ）は破断後の回路部１５を張り合わせした状態を示す上面図である。
【００２５】
図２に示すように、記憶媒体７の媒体本体７ａの表面にＲＦＩＤタグ８が貼付されている。このＲＦＩＤタグ８の表面には、例えばゲームの名称やキャラクタの図案などが印刷されている。
【００２６】
図３に示すように、ＲＦＩＤタグ８は内部にタグ情報を記憶保持した回路部１５を備えている。そしてＲＦＩＤタグ８は、記憶媒体７の媒体本体７ａから剥離されると、回路部１５を後述する破断部１３の箇所で破断するように形成されている。
【００２７】
具体的には、図４に示すように、ＲＦＩＤタグ８は記憶媒体７の媒体本体７ａの表面に設けられている基材１４上に形成される印刷面１４ａに回路部１５を印刷により形成している。
【００２８】
すなわち、基材１４上に形成された印刷面１４ａの破断部１３に印刷で回路部１５が形成されている。
【００２９】
基材１４は、例えば薄いプラスチックシートで形成される。また、基材１４は多数の破断部１３を有する。また、基材１４は印刷面１４ａと反対側に粘着剤が塗布されている接着面１４ｂを有し、この接着面１４ｂを、例えば記憶媒体７の媒体本体７ａの表面に接着する。これにより、基材１４は媒体本体７ａに接着される。
【００３０】
破断部１３は、印刷面１４ａに設けられた多数の窪みに剥離層を形成した剥離部１３ｂと、粘着剤を塗布した接着面１３ｃで回路部１５を接着する外装部１３ａとを備え、外装部１３ａは回路部１５の全体を接着する。剥離部１３ｂは、剥離層により上面に印刷した回路部１５を剥離しやすくしている。
【００３１】
これにより、破断部１３は、外装部１３ａを基材１４から剥離すると、剥離しやすい部分で、外装部１３ａは接着面１３ｃに回路部１５を接着したまま剥離する。すなわち、破断部１３は、剥離部１３ｂの上面に印刷した回路部１５を基材１４から剥離すると共に回路部１５を破断する。これにより、ＲＦＩＤタグ８のタグ回路部１６およびタグアンテナ部１７は破壊され、使用できなくなる。なお、修復が難しいタグ回路部１６のみを破断部１３で破断するようにしてもよい。
【００３２】
外装部１３ａの印刷面１３ｄには、例えばゲームの名称やキャラクタの図案などが印刷されている。また、外装部１３ａは少なくとも回路部１５を覆う大きさとした。
【００３３】
図５に示すように、回路部１５は、タグ情報を記憶保持するタグ回路部１６と、このタグ回路部１６の端子ａ、ｂに電気的に接続されると共に無線信号を受信するタグアンテナ部１７とを有している。回路部１５は、例えば公知の有機高分子で形成されている。これにより、回路部１５を塗布製膜技術により薄膜層を形成するなどして製造できることから、回路部１５をインクジェットや輪転機などの印刷プロセスを利用して製造することができる。すなわち、印刷プロセスでタグ回路部１６の有機薄膜トランジスタなどの回路を形成でき、基材１４上の印刷面１４ａに回路部１５を印刷により形成することができる。タグアンテナ部１７は導電インクで形成される。
【００３４】
このように、回路部１５を印刷プロセスを用いて形成できるので生産性が高い。さらに、タグ回路部１６は薄膜を複雑に重ねて形成されているので、破断した後に修復しにくい。このため、ＲＦＩＤタグ８は以後の使用ができなくなり、不正使用を防止することができる。
【００３５】
また、従来のタグ回路部は硬い外装でモールドされていたため破断させることが困難であったが、本実施の形態のＲＦＩＤタグ８は、印刷で回路部１５を形成しているため、容易に破断させることができる。
【００３６】
次に、図６、図７を参照しながら、記憶媒体７に貼付したＲＦＩＤタグ８を剥離させた場合の回路部１５の破断状態について詳細に説明する。
【００３７】
図６に示すように、ＲＦＩＤタグ８は基材１４の接着面１４ｂで記憶媒体７の媒体本体７ａに接着されている。
【００３８】
また、記憶媒体７は内部に収納したソフトウェアのデータを記憶する記憶素子７ｂ、電子機器１と接続しデータを入出力する接続部７ｃを有し、ＲＦＩＤタグ８および媒体本体７ａにより密閉されている。これにより、ＲＦＩＤタグ８を破断することなく記憶素子７ｂのデータを改ざんすることができない。
【００３９】
記憶媒体７からＲＦＩＤタグ８を剥離しようとすると外装部１３ａの接着面１３ｃに回路部１５が接着するため、剥離部１３ｂ上に印刷した回路部１５が一緒に剥離される。剥離した後は、図７（ａ）に示すように、基材１４の剥離部１３ｂ上の回路部１５のみが剥離された状態となる。このようにして、回路部１５を破断することができる。
【００４０】
また、図７（ｂ）に示すように、破断した後、基材１４上に残った回路部１５の部分と、外装部１３ａに接着した回路部１５の部分とを張り合わせて修復しようとしても、タグ回路部１６とタグアンテナ部１７は複雑に破断されるため、修復しにくい。特に、薄膜を複雑に重ねて形成されているタグ回路部１６は修復しにくい。
【００４１】
このように、記憶媒体７からＲＦＩＤタグ８を剥離するなど不正な改ざん行為により別の記憶媒体７に不正使用しようとすると回路部１５が破断され、破断した後、ＲＦＩＤタグ８は再使用できなくなる。
【００４２】
次に、図８、図９を参照しながら、電子機器１の不正媒体読み取り防止装置９を含む全体構成ついて説明する。
【００４３】
図８は本発明の実施の形態におけるＲＦＩＤタグ８を含む電子機器１の構成を示す回路ブロック図、図９は同実施の形態における不正媒体読み取り防止装置９の動作を示すフローチャートである。
【００４４】
図８に示すように、電子機器１は操作入力部３、表示部４、音声出力部５、記憶媒体読み取り部６を備えている。そして電子機器１は、記憶媒体読み取り部６に装着された記憶媒体７のソフトウェアを読み取り、読み取られたソフトウェアを実行する。
【００４５】
また、電子機器１は不正媒体読み取り防止装置９を備えている。不正媒体読み取り防止装置９は、記憶媒体７が記憶媒体読み取り部６に読み取るべき記憶媒体７が装着されていると、不正な媒体であるか否かを判断し、不正に複製されたソフトウェアの読み取りを防止する。
【００４６】
すなわち、不正媒体読み取り防止装置９は、記憶媒体７に設けられたＲＦＩＤタグ８をアンテナ１０ａを介して読み取るＲＦＩＤリーダ部１０と、ＲＦＩＤリーダ部１０により読み取られたＲＦＩＤタグ８のタグ情報と記憶部（図示せず）に記憶されている認証情報１１ａとを照合し、照合が不一致の場合は記憶媒体７が不正な媒体であると判断する不正判断部１１と、不正判断部１１の判断結果に基づいて記憶媒体読み取り部６を制御する制御部１２とを備え、制御部１２は、不正判断部１１により記憶媒体７が不正な媒体であると判断された場合、記憶媒体読み取り部６による記憶媒体７のデータの読み取りを停止させる。タグ情報、認証情報１１ａとして、ソフトウェアの製造番号（シリアル番号）、正規な販売店に付与される店番号、パスワード、暗号化キー情報など、記憶媒体７が正規な媒体であることを特定するための認証情報１１ａを使用する。
【００４７】
これにより、記憶媒体７が電子機器１に装着されたとき、不正媒体読み取り防止装置９はＲＦＩＤタグ８のタグ情報を読み取り、タグ情報と認証情報１１ａとを照合し、照合が不一致の場合に記憶媒体７が不正な媒体であると判断する。
【００４８】
第三者によりＲＦＩＤタグ８をある目的をもって記憶媒体７から剥がすなど不正な改ざん行為により別の不正な記憶媒体７に不正使用しようとすると回路部１５（図６）が破断され、タグ情報を読み取ることができなくなる。これにより不正媒体読み取り防止装置９はＲＦＩＤタグ８からのタグ情報を取得できなくなり、認証情報１１ａとの照合が不一致となるため記憶媒体７を不正な媒体であると判断することができる。そして、不正媒体読み取り防止装置９は、制御部１２により記憶媒体読み取り部６による記憶媒体７のソフトウェアの読み取りを停止させる。これにより電子機器１は記憶媒体７のソフトウェアを読み取れなくなる。
【００４９】
なお、ＲＦＩＤタグ８のタグ情報としてプログラムの起動情報を含み、電子機器１でプログラムを起動させるごとに不正判断部１１によりＲＦＩＤタグ８の起動情報を判断するようにしてもよい。さらに、起動情報を複数に分割し、各認証情報１１ａと組み合わせてもよい。これにより、ＲＦＩＤタグ８のタグ情報を解読しにくくすることができる。
【００５０】
次に、図８、図９を参照しながら、不正媒体読み取り防止装置９の動作について説明する。
【００５１】
図９に示すように、不正媒体読み取り防止装置９は、電子機器１の電源がＯＮされると、記憶媒体読み取り部６に読み取るべき記憶媒体７が装着されているか否かを検出する（Ｓ１００、Ｓ１０２）。
【００５２】
不正媒体読み取り防止装置９は、記憶媒体読み取り部６に読み取るべき記憶媒体７がある場合、ＲＦＩＤリーダ部１０により、ＲＦＩＤタグ８と交信を開始する。ＲＦＩＤリーダ部１０はアンテナ１０ａを介して質問信号をＲＦＩＤタグ８に送信し、ＲＦＩＤタグ８からの応答信号をアンテナ１０ａで受信し、後述するように復調してＲＦＩＤタグ８のタグ情報を読み取る（Ｓ１０４）。ＲＦＩＤリーダ部１０は、読み取りして得たＲＦＩＤタグ８のタグ情報をメモリ３７に記憶する。
【００５３】
具体的には、図８に示すように、まずＲＦＩＤリーダ部１０は、ＲＦＩＤタグ８の回路部１５に、例えば「認証コードは存在するか？」という問い合わせを行う。
【００５４】
次にこの問い合わせは、変調回路３２により、送信回路３３、サーキュレータ３４、アンテナ１０ａを介してＲＦＩＤタグ８に向けて出力される。ＲＦＩＤタグ８は、タグアンテナ部１７で質問信号（無線信号）を受信すると共に受信した無線信号から生成した電力をダイオード２０で整流し、直流電圧（以下、「ＤＣ電圧」と記す）を生成する。このＤＣ電圧をコンデンサ２１に充電すると共にこのＤＣ電圧をタグ回路部１６に供給し、タグ回路部１６を起動する。これによって、タグ回路部１６の復調回路２２、制御回路２３、メモリ２４、変調回路２５が起動する。このように、ＲＦＩＤタグ８は電池などの電源を搭載していなくてもタグ回路部１６を動作させることができる。
【００５５】
次に、制御回路２３からの指示で復調回路２２は、受信した無線信号から上記「認証コードは存在するか？」という問い合わせを復調する。
【００５６】
また、制御回路２３は、上記復調回路２２への指示と同時にメモリ２４に記憶保持しているタグ情報である認証情報を読み出している。
【００５７】
メモリ２４に記憶保持されているタグ情報が「認証コードＡＢＣ」であった場合には、制御回路２３は、その問い合わせに対して「認証コードＡＢＣ」が存在することを、変調回路２５を介してスイッチ２６をＯＮ、ＯＦＦさせて応答する。
【００５８】
すなわち、スイッチ２６がＯＮすれば、タグアンテナ部１７の端子ａと端子ｂとが短絡され、スイッチ２６がＯＦＦされれば、タグアンテナ部１７の端子ａと端子ｂとが開放される。これによって、ＲＦＩＤリーダ部１０から送信された電波を反射するか否かをタグ情報（認証情報）に応じて制御し、そのタグ情報の内容を伝達することができる。すなわち、タグ情報の「１」と「０」に対応させてスイッチ２６をＯＮまたはＯＦＦさせ、このスイッチ２６のＯＮ、ＯＦＦの繰り返しパターンにより、タグアンテナ部１７からＲＦＩＤリーダ部１０に応答出力し、「認証コードＡＢＣ」が存在することが報告される。例えば、タグ情報が「１」のときはスイッチ２６をＯＮにし、タグ情報が「０」のときはスイッチ２６をＯＦＦにする。なお、回路部１５はタグアンテナ部１７の端子ａと端子ｂを開放させたときに、反射が起きないようにインピーダンスをマッチングさせるコンデンサ２７を有している。
【００５９】
ＲＦＩＤリーダ部１０は、アンテナ１０ａ、サーキュレータ３４を介して受信回路３５で応答信号を受信し、復調回路３６に伝達する。そして、制御回路３１は復調した信号により、「認証コードＡＢＣ」の存在を確認し、メモリ３７に一時記憶する。そして、不正媒体読み取り防止装置９の制御部１２に認証コードを取得したことを通知する。
【００６０】
不正媒体読み取り防止装置９の制御部１２は、制御回路３１からの通知を受信した後、メモリ３７からＲＦＩＤタグ８のタグ情報（認証コードＡＢＣ）を取得し、取得した後、メモリ３７をクリアする。そして、制御部１２は不正判断部１１にタグ情報（認証コードＡＢＣ）を出力する。
【００６１】
図９に戻り、不正判断部１１は、制御部１２から取得したＲＦＩＤタグ８のタグ情報（認証コードＡＢＣ）と予め記憶部（図示せず）に記憶してある認証情報１１ａとを比較、照合する（Ｓ１０６）。
【００６２】
その結果、不正判断部１１は照合が一致（ＹＥＳ）すれば、記憶媒体７が正規の媒体であると判断する（Ｓ１０８）。この場合、不正判断部１１は制御部１２に正規な媒体であることの判断結果を出力し、制御部１２はこの判断結果により記憶媒体読み取り部６に読み取り許可の信号を送り、記憶媒体読み取り部６は記憶媒体７のソフトウェアを読み取る（Ｓ１１０）。これにより、電子機器１は記憶媒体７のソフトウェアを読み取ることができる。
【００６３】
一方、不正判断部１１で照合が一致しない（ＮＯ）場合、不正判断部１１は記憶媒体７が不正な媒体であると判断する。この場合、不正判断部１１は制御部１２に不正な媒体であることの判断結果を出力し、制御部１２はこの判断結果により記憶媒体読み取り部６に読み取り不許可の信号を送り、記憶媒体読み取り部６による記憶媒体７のソフトウェアの読み取りを停止させる（Ｓ１１２）。これにより、電子機器１は記憶媒体７のソフトウェアを読み取ることができない。
【００６４】
また、ＲＦＩＤリーダ部１０は、所定の時間（例えば、１０秒）を計測し、所定の時間が経過してもＲＦＩＤタグ８のタグ情報を読み取ることができない場合、メモリ３７をクリア（例えば、認証コードが「００００」）状態にしたまま制御部１２に通知する。これにより、不正判断部１１でのタグ情報（認証コードＡＢＣ）と認証情報１１ａとの照合が不一致（ＮＯ）となることから、不正判断部１１は記憶媒体７が不正な媒体であると判断する。すなわち、記憶媒体７の媒体本体７ａからＲＦＩＤタグ８を取り外す（剥がす）などの不正な改ざん行為が行われた場合、ＲＦＩＤタグ８の回路部１５が破断され、これによりタグ情報を読めなくし、タグ情報（認証コードＡＢＣ）と認証情報１１ａとが不一致となるようにする。これにより、不正判断部１１は制御部１２に不正な媒体であることの判断結果を出力し、制御部１２はこの判断結果により記憶媒体読み取り部６に読み取り不許可の信号を送り、記憶媒体読み取り部６による記憶媒体７のソフトウェアの読み取りを停止させる。
【００６５】
なお図８において、ＲＦＩＤリーダ部１０は、変調、同期を行うためのクロック回路３８と、各回路にＤＣ電圧を供給するための電源回路３９とを備えている。電源回路３９は、例えば電池などから構成される。また、電源回路３９に代えて、電子機器１の内部に備えている電源を用いてもよい。
【００６６】
以上述べたように本実施の形態によれば、記憶媒体７は、媒体本体７ａの表面にＲＦＩＤタグ８を備え、ＲＦＩＤタグ８は基材１４上に印刷面１４ａを形成し、形成された印刷面１４ａの破断部１３に印刷で回路部１５が形成されている。このような構成により、記憶媒体７の媒体本体７ａの表面からＲＦＩＤタグ８を剥がすなど不正な改ざん行為により別の記憶媒体７を不正使用しようとした場合、回路部１５が破断し、破断した後、ＲＦＩＤタグ８は再使用できなくなる。これにより、不正な記憶媒体７の不正使用を防止することができる。
【００６７】
また、不正媒体読み取り防止装置９は、記憶媒体７のデータを記憶媒体読み取り部６を介して入力する電子機器１に備えられるものであって、上記した記憶媒体７に設けられたＲＦＩＤタグ８を読み取るＲＦＩＤリーダ部１０と、ＲＦＩＤリーダ部１０により読み取られたＲＦＩＤタグ８のタグ情報と認証情報１１ａとを照合し、照合が不一致の場合は記憶媒体７が不正な媒体であると判断する不正判断部１１と、不正判断部１１の判断結果に基づいて記憶媒体読み取り部６を制御する制御部１２とを備え、制御部１２は、不正判断部１１により記憶媒体７が不正な媒体であると判断された場合、記憶媒体読み取り部６による記憶媒体７の読み取りを停止させる構成とした。このような構成により、記憶媒体７からＲＦＩＤタグ８を剥がすなど不正な改ざん行為により回路部１５が破断し、再使用できなくなる。このため、ＲＦＩＤタグ８からタグ情報を読み取れなくすることができ、これにより不正判断部１１でＲＦＩＤタグ８のタグ情報と認証情報１１ａとの照合が不一致となるため、不正判断部１１は記憶媒体７が不正な媒体であると判断することができる。不正判断部１１で記憶媒体７が不正な媒体であると判断された場合、制御部１２は記憶媒体読み取り部６によるソフトウェア（データ）の読み取りを停止させ、これにより電子機器１は記憶媒体７のソフトウェアの読み取りができなくなる。これにより、第三者により不正に複製された記憶媒体７の不正使用を防止することができる。
【００６８】
なお、図２において、ＲＦＩＤタグ８で記憶媒体７の媒体本体７ａの一つの面を覆うようにしたが、これに限定されない。例えば、ＲＦＩＤタグ８で媒体本体７ａの全体の面を覆うようにしてもよい。ＲＦＩＤタグ８の回路部１５は印刷で形成できるので、記憶媒体７における図案を含むデザインとして前面に印刷してもよい。これにより、媒体本体７ａの表面の一部に第三者が孔を開けて記憶素子７ｂの改ざん行為を行う場合であってもＲＦＩＤタグ８が破断され、これにより不正な改ざんを防止することができる。
【００６９】
また、本実施の形態では、記憶媒体７がカートリッジである例を説明したが、これに限定されない。例えば、ディスクでもよい。ＲＦＩＤタグ８は印刷により形成できるので、各種のディスク、すなわちＣＤ、ＤＶＤ、ブルーレイディスクなどのラベル印刷面に適用することができる。ＣＤ、ＤＶＤ、ブルーレイディスクにＲＦＩＤタグ８が印刷により形成された場合には、不正に複製したＣＤ、ＤＶＤ、ブルーレイディスクは電子機器１で読み取ることができなくなる。これにより、上記と同様の効果を奏し、第三者により不正に複製したＣＤ、ＤＶＤ、ブルーレイディスクの不正使用を防止することができる。
【産業上の利用可能性】
【００７０】
以上のように本発明は、記憶媒体の本体の表面にＲＦＩＤタグを備え、ＲＦＩＤタグは基材上に印刷面を形成し、形成された印刷面の破断部に印刷で回路部が形成されているので、記憶媒体からＲＦＩＤタグを剥がすなどの不正な改ざん行為によりＲＦＩＤタグの回路部が破断し、再使用できなくなる。このため、ＲＦＩＤタグからタグ情報を読み取れなくなり、これによりＲＦＩＤタグのタグ情報と認証情報とを照合すれば照合不一致となるため、記憶媒体が不正な媒体であることを判断でき、電子機器による記憶媒体の読み取りを停止させることが可能となる。これにより、電子機器は記憶媒体からソフトウェアの読み取りができなくなるので、不正な記憶媒体の不正使用を防止することができる。
【００７１】
したがって、不正な記憶媒体の不正使用が行われないようにすることを可能とする記憶媒体およびこれを用いた不正媒体読み取り防止装置、電子機器などに有用である。
【図面の簡単な説明】
【００７２】
【図１】本発明の実施の形態における電子機器の外観斜視図
【図２】同実施の形態における電子機器に装着される記憶媒体の外観斜視図
【図３】同実施の形態におけるＲＦＩＤタグを含む記憶媒体の上面図
【図４】同実施の形態におけるＲＦＩＤタグの断面図
【図５】同実施の形態におけるＲＦＩＤタグ内の回路部の構成を示す上面図
【図６】図３のＡ−Ａ線断面図
【図７】（ａ）は本発明の実施の形態におけるＲＦＩＤタグの回路部の破断後の状態を示す上面図、（ｂ）は破断後の回路部を張り合わせした状態を示す上面図
【図８】同実施の形態におけるＲＦＩＤタグを含む電子機器の構成を示す回路ブロック図
【図９】同実施の形態における不正媒体読み取り防止装置の動作を示すフローチャート
【符号の説明】
【００７３】
１    電子機器
２    電子機器本体
３    操作入力部
４    表示部
５    音声出力部
６    記憶媒体読み取り部
７    記憶媒体
７ａ    媒体本体
７ｂ    記憶素子
７ｃ    接続部
８    ＲＦＩＤタグ
９    不正媒体読み取り防止装置
１０    ＲＦＩＤリーダ部
１０ａ    アンテナ
１１    不正判断部
１１ａ    認証情報
１２    制御部
１３    破断部
１３ａ    外装部
１３ｂ    剥離部
１３ｃ，１４ｂ    接着面
１３ｄ，１４ａ    印刷面
１４    基材
１５    回路部
１６    タグ回路部
１７    タグアンテナ部
２０    ダイオード
２１，２７    コンデンサ
２２，３６    復調回路
２３，３１    制御回路
２４，３７    メモリ
２５，３２    変調回路
２６    スイッチ
３３    送信回路
３４    サーキュレータ
３５    受信回路
３８    クロック回路
３９    電源回路
【図１】
2010182217.tif 000003
【図２】
2010182217.tif 000004
【図３】
2010182217.tif 000005
【図４】
2010182217.tif 000006
【図５】
2010182217.tif 000007
【図６】
2010182217.tif 000008
【図７】
2010182217.tif 000009
【図８】
2010182217.tif 000010
【図９】
2010182217.tif 000011